(57)【特許請求の範囲】
【請求項１】
所定の鍵によって開放し得る開閉扉が設けられ、該開閉扉の裏側には該開閉扉を閉状態に保つロック部材が設けられ、該ロック部材は該開閉扉の裏側に設けられた電気的駆動源に通電することにより可動し該開閉扉のロック状態が解除されるように構成した遊技機において、電気的駆動源によって回転運動させられる回転リンクを設け、直線運動をするロック部材によって開閉扉がロック状態またはロック解除状態となるようにし、該ロック部材に突設されたピンを該回転リンクに形成された二股状部に遊嵌することで回転リンクの回転がロック部材に伝達されるようにすると共に、該二股状部の内面にロック部材をロック解除方向に動かしたときに該ピンが嵌入し得る鉤状拡径部を形成し、回転リンクがロック解除方向に回転することなくロック部材のみがロック解除方向に動いたときに該鉤状拡径部に嵌入したピンが該鉤状拡径部内に衝止されることによりロック部材から回転リンクへの逆方向の運動伝達が阻止され、電気的駆動源が通電されることなくロック状態が解除されることのないようにした不正開放防止装置を備えた遊技機。
【請求項２】
電気的駆動源はソレノイドである請求項１に記載の不正開放防止装置を備えた遊技機。
【請求項３】
ロック部材の状態を電気信号にて検出し得る手段を設けた請求項１または２に記載の不正開放防止装置を備えた遊技機。
【発明の詳細な説明】
【０００１】
【発明の属する技術分野】
本発明は、遊技場に設置されるパチンコ遊技機，スロットマシン等の遊技機が合鍵等を用いて不正に開かれるのを防止するための不正開放防止装置に関するものである。
【０００２】
【従来の技術】
例えばパチンコ遊技場に設置されるパチンコ遊技機は、合い鍵を使用して不正の目的で開閉扉が開放されることがあった。これを防止するために従来から開閉扉の裏側にソレノイド等の電気的駆動源によって作動するロック部材を設け、該電気的駆動源を集中管理室からの遠隔操作で作動させロック状態を解除することによって、はじめて開放できるようにすることで、合い鍵を使っての不正行為を予防できるようにしている。
【０００３】
【発明が解決しようとする課題】
しかしながら、従来の上記不正開放防止装置では、ロック状態にされていてもその遊技機内に針金等を侵入させてロック部材を動かしそのロック状態を解除させ、合い鍵を使って開放するという仕業には対処できないという問題があった。そこで本発明はこのような巧妙な不正行為をも確実に防止し得る装置を提供しようとするものである。
【０００４】
【課題を解決するための手段】
そのために本発明に係る不正開放防止装置を備えた遊技機は、所定の鍵によって開放し得る開閉扉が設けられ、該開閉扉の裏側には該開閉扉を閉状態に保つロック部材が設けられ、該ロック部材は該開閉扉の裏側に設けられた電気的駆動源に通電することにより可動し該開閉扉のロック状態が解除されるように構成した遊技機において、電気的駆動源によって回転運動させられる回転リンクを設け、直線運動をするロック部材によって開閉扉がロック状態またはロック解除状態となるようにし、該ロック部材に突設されたピンを該回転リンクに形成された二股状部に遊嵌することで回転リンクの回転がロック部材に伝達されるようにすると共に、該二股状部の内面にロック部材をロック解除方向に動かしたときに該ピンが嵌入し得る鉤状拡径部を形成し、回転リンクがロック解除方向に回転することなくロック部材のみがロック解除方向に動いたときに該鉤状拡径部に嵌入したピンが該鉤状拡径部内に衝止されることによりロック部材から回転リンクへの逆方向の運動伝達が阻止され、電気的駆動源が通電されることなくロック状態が解除されることのないようにしたことを特徴とする。
また本発明は上記不正開放防止装置を備えた遊技機において、電気的駆動源はソレノイドであることを特徴とする。
また本発明は上記不正開放防止装置を備えた遊技機において、ロック部材の状態を電気信号にて検出し得る手段を設けたことを特徴とする。
【０００５】
【発明の実施の形態】
次に本発明の実施の形態をパチンコ遊技機について図面に従い説明する。図において、１は台枠、２は該台枠１の一側縁の上下部に軸受金具３，３を設けることによって前方に開閉可能に枢着してなる開閉扉（前面枠）である。４は該開閉扉２の裏側に設けられた錠機構で、該錠機構４は横断面Ｌ形の長手形状の取付基板５の上下部に夫々支軸６，６によって板状の可動鉤状片７，７を鉛直面内で回転自在なるように枢支し、連杆８の上下部を該各可動鉤状片７，７の後端部に支軸９，９によって連結すると共に、開閉扉２に貫通状に設けたシリンダ錠１０の作用片１１を該連杆８に係合させている。１２は該連杆８を下向に付勢しているコイルバネである。このため開閉扉２の前面から該シリンダ錠１０に鍵１３を差し込み所定方向に回転することにより作用片１１がコイルバネ１２の弾性に抗して連杆８を上動させ可動鉤状片７，７を上向回動させる。可動鉤状片７，７は先端部７ａが雁首状で、その拡大頂部の後に係合溝７ｂが形成された形態である。
【０００６】
１４，１４は台枠１の内側にビス１８により固設した突片で、開閉扉２を閉じると可動鉤状片７，７の先端部７ａが該突片１４の上縁に当接し、該可動鉤状片７，７がコイルバネ１２の弾性に抗していったん上向回動して係合溝７ｂに該突片１４，１４が係合することで開閉扉２を閉状態に保持する。そして鍵１３を回転させて連杆８を上動させ可動鉤状片７，７を上向回動させることでこの係合が解かれ開閉扉２を開けられるようにしている。なお１５は開閉扉２の裏側に設けられた機構板、１６は打球発射用モータ、１７は内部にＲＯＭ等がマウントされた遊技制御基盤を収容しているプラスチックケースである。
【０００７】
しかして、台枠１の裏側に突片１４に対応するように本発明に係るロック機構を組込んだケース２０をビス１９により固着する。このロック機構は、ケース２０の底板部上に板状のロック部材２３がスライド可能に設けられ、該ロック部材の先端部が該ケース２０の側壁に開設された透孔２２から前記可動鉤状片７の上部に出没し得るようにしている。また、該ケース２０内に電気的駆動源としてのソレノイド２４が設けられ、回転リンク２５および回転リンク２６からなる伝動機構（リンク機構）を介して該ソレノイド２４とロック部材２３とが連繋される。ソレノイド２４はそのプランジャの先端に作動片３０が固着され消磁状態ではコイルバネ２１の弾性によりそのプランジャが突出し作動片３０が下動した状態にある。また、回転リンク２５および回転リンク２６は夫々ケース２０内に横架された軸２７，２８により回転自在に支持され、該回転リンク２５は一端に形成されたコ字形部２９中に作動片３０の先端部が遊嵌し、該回転リンク２５の他端は二股状部３１を形成し、該二股状部中に回転リンク２６の一端に一体に形成されたピン３２を遊嵌し、該回転リンク２６の他端は二股状部３３を形成し、該二股状部中に前記ロック部材２３の上面に突設されたピン３４を遊嵌している。３５は回転リンク２６の一端で前記ピン３２の一側に隣接するように該回転リンク２６と一体に形成された衝止部である。
【０００８】
また、ケース２０の背面にサブケース３６が着脱自在に取り付けられ、該サブケース中に前記ロック部材２３の後端部と相対する連動片３７がスライド可能に設けられ、該連動片はコイルバネ３８によって前方に付勢され、該連動片の上面に突設された突部３９に触子４０が当接するようにメカニカルスイッチ４１が設けられ、ロック部材２３が後退動すると該連動片が押圧されコイルバネ３８の弾性に抗して後退動し該メカニカルスイッチ４１を作動させることから、該メカニカルスイッチによってロック部材２３の状態を電気信号にて検出できるようにしている。
【０００９】
このように構成した不正開放防止装置では、ソレノイド２４が消磁した状態では、図２，図３，図６に示したように、ロック部材２３の先端部が可動鉤状片７上に突出していることから、該可動鉤状片７が突片１４に係合したロック状態に保たれる。このため、シリンダ錠１０が合鍵等を用いて不正操作されることがあっても開閉扉２を開けることはできない。
【００１０】
また、集中管理室等からの操作でソレノイド２４に通電し該ソレノイドを励磁させると、図４，図７に示したように作動片３０を上動させ回転リンク２５を回転させその回転が回転リンク２６に伝達されロック部材２３を後退させることからロック状態が解除される。このため、鍵１３でシリンダ錠１０を解錠操作し連杆８を上動させることで可動鉤状片７と突片１４との係合が解除され開閉扉２を開放できるようになる。なお、回転リンク２５の回転が回転リンク２６に伝達される際は、二股状部３１とピン３２との間で必然的にできる遊びが作用することによって回転リンク２５が僅かながら回転してから回転リンク２６にその回転が伝達されるので、その僅かな回転により衝止部３５と二股状部３１との衝突が避けられ、回転がスムースに伝達される。即ち、原動側から従動側への伝達は衝止部３５の存在に関係なくスムースに行われる。また、ソレノイド２４が消磁されコイルバネ２１の弾性により作動片３０が下動すると回転リンク２５は反対向きに回転し回転リンク２６を反対向きに回転させるのでロック部材２３の先端部を可動鉤状片７上に再び突出させロック状態にする。
【００１１】
そして、ソレノイド２４が消磁されているときに、ロック状態を解除しようとして何者かが針金のようなものを使ってロック部材２３を無理に後退させようとすると、原動側の回転リンク２５は回転することなく従動側の回転リンク２６が先に回転しようとするので、図８に示したように衝止部３５が二股状部３１の先端に当たり回転できなくなる。このためロック部材２３を無理に後退させることはできず、ロック状態が保たれるのでこのような不正行為はできなくなる。
【００１２】
なおこの実施形態では、回転リンクから回転リンクへの伝達部位に衝止部を設けたが、本発明は回転リンクどうしの伝達部位に限らず、例えば直線運度をする部材と回転運度をする部材との伝達部位に衝止部を設け逆方向の伝達を阻止させることもできる。
例えば図９は直線運動をするロック部材２３と回転リンク２６との伝達部位に衝止部を設けた実施形態であり、回転リンク２６の二股状部３３の内面にピン３４が嵌入し得る鉤状拡径部４５を形成したもので、この実施形態では図１０に示したようにロック部材２３がロック解除方向に動いたとき該ピン３４が鉤状拡径部４５の外壁たる衝止部３５に当接することで、従動側から原動側への動力伝達が阻止される。
また、図示しないが、作動片３０と回転リンク２５との伝達部位に衝止部を設けてもよい。また、この実施形態ではソレノイド２４とロック部材２３との間に複数の伝達部材（回転リンク２５,２６）を介在させたが、伝達部材の数についても増減できることはいうまでもない。
【００１３】
またこの実施形態はパチンコ遊技機について説明したが、本発明はスロットマシン等の他の遊技機の不正開放を防止するにも適用できる。
【００１４】
なお、メカニカルスイッチ４１は集中管理室等でロック部材２３の状態を監視するとともに、ロック状態が解除された回数，時間等をコンピュータに計数，記憶させることにより不正行為の有無を管理するのに利用することができる。
【００１５】
【発明の効果】
このように本発明に係る不正開放防止装置を備えた遊技機は、所定の鍵によって開放し得る開閉扉が設けられ、該開閉扉の裏側には該開閉扉を閉状態に保つロック部材が設けられ、該ロック部材は該開閉扉の裏側に設けられた電気的駆動源に通電することにより可動し該開閉扉のロック状態が解除されるように構成した遊技機において、電気的駆動源によって回転運動させられる回転リンクを設け、直線運動をするロック部材によって開閉扉がロック状態またはロック解除状態となるようにし、該ロック部材に突設されたピンを該回転リンクに形成された二股状部に遊嵌することで回転リンクの回転がロック部材に伝達されるようにすると共に、該二股状部の内面にロック部材をロック解除方向に動かしたときに該ピンが嵌入し得る鉤状拡径部を形成し、回転リンクがロック解除方向に回転することなくロック部材のみがロック解除方向に動いたときに該鉤状拡径部に嵌入したピンが該鉤状拡径部内に衝止されることによりロック部材から回転リンクへの逆方向の運動伝達が阻止されるようにしたので、電気的駆動源が通電されないでロック状態を解除させ不正に開閉扉を開放するような行為をできなくし、より確実に不正開放を防止できるようにする効果がある。
【図面の簡単な説明】
【図１】  本発明に係る遊技機の開閉扉開放時の斜視図。
【図２】  本発明に係る遊技機の不正開放防止装置の斜視図。
【図３】  本発明に係る不正開放防止装置の縦断面図。
【図４】  図３の作動状態図。
【図５】  本発明に係る不正開放防止装置の要部の拡大斜視図。
【図６】  図３の要部の拡大図。
【図７】  図６の作動状態図。
【図８】  図６の作動状態図。
【図９】  本発明に係る不正開放防止装置の他の実施形態を示す要部の拡大図。
【図１０】  図９の作動状態図。
【符号の説明】
１      台枠
２      開閉扉
４      錠機構
７      可動鉤状片
１３    鍵
１４    突片
２３    ロック部材
２４    ソレノイド（電気的駆動源）
２５    回転リンク（原動側）
２６    回転リンク（従動側）
３１    二股状部
３２    ピン
３３    二股状部
３４    ピン
３５    衝止部
４１    メカニカルスイッチ
４５    鉤状拡径部
【図１】
0003927071.tif 000002
【図２】
0003927071.tif 000003
【図３】
0003927071.tif 000004
【図４】
0003927071.tif 000005
【図５】
0003927071.tif 000006
【図６】
0003927071.tif 000007
【図７】
0003927071.tif 000008
【図８】
0003927071.tif 000009
【図９】
0003927071.tif 000010
【図１０】
0003927071.tif 000011